(57)【要約】【課題】演出表示器を遊技盤のデザインに対応する位置に迅速かつ確実に移動させることができるようにする。【解決手段】遊技機枠２に取り付けられる遊技盤の後方に、演出画像を表示可能な演出表示器１０を配置するとともに、演出画像を遊技盤に設けた開口部から視認可能とした弾球遊技機において、遊技機枠２に、電気的駆動源２６、２７によって、遊技盤の裏面に沿って移動可能な移動部材２５を有する表示器位置調整ユニット２０を取り付ける。移動部材２５に演出表示器１０を固定し、電気的駆動源２６、２７の動力により、演出表示器１０を予め定めた位置に移動させて停止させる。【選択図】  図４
2008079990.tif 000002
【特許請求の範囲】
【請求項１】
遊技機枠に取り付けられる遊技盤の後方に、演出画像を表示可能な演出表示器を配置するとともに、前記演出画像を前記遊技盤に設けた開口部から視認可能とした弾球遊技機において、
前記遊技機枠に、電気的駆動源によって、前記遊技盤の裏面に沿って移動可能な移動部材を有する表示器位置調整ユニットを取り付けるとともに、前記移動部材に前記演出表示器を固定し、前記電気的駆動源を制御するための制御部により、前記電気的駆動源を駆動制御して、前記演出表示器を予め定めた位置に移動させて停止させるようにしたことを特徴とする弾球遊技機。
【請求項２】
前記演出表示器は、前記表示器位置調整ユニットの動作に基づいて、左右、上下へ移動可能としたことを特徴とする請求項１記載の弾球遊技機。
【請求項３】
前記表示器位置調整ユニットは、前記制御部に予め入力されて記憶された座標情報に基づいて、前記演出表示器を予め定めた位置に移動させるようにしたことを特徴とする請求項１または２記載の弾球遊技機。
【請求項４】
前記表示器位置調整ユニットは、前記演出表示器の位置を検出可能な検出器を有し、
前記制御部は、前記検出器が検出した前記演出表示器の位置と前記座標情報とを比較して、前記演出表示器を予め定めた位置に移動させるようにしたことを特徴とする請求項３記載の弾球遊技機。
【請求項５】
前記検出器により検出された前記演出表示器の位置情報を表示する位置表示器を備えたことを特徴とする請求項４記載の弾球遊技機。
【請求項６】
遊技中、前記表示器位置調整ユニットの前記電気的駆動源を駆動させて、前記演出表示器を所定の方向へ移動させるようにしたことを特徴とする請求項１〜５のいずれかに記載の弾球遊技機。
【請求項７】
前記演出表示器が前記遊技盤における前記開口部に対してずれた位置に移動した場合、前記開口部と前記演出表示器との間の隙間を遮蔽可能な遮蔽部材を備えたことを特徴とする請求項１〜６のいずれかに記載の弾球遊技機。
【請求項８】
前記表示器位置調整ユニットは、左右方向を向く水平螺合軸と、前記水平螺合軸に螺合し、前記水平螺合軸の回転によって左右方向へ直線移動可能な水平移動部材と、上下方向を向く垂直螺合軸と、前記垂直螺合軸に螺合し、前記垂直螺合軸の回転によって上下方向に直線移動可能な垂直移動部材とを備え、
前記水平螺合軸または前記垂直螺合軸のいずれか一方の螺合軸を、前記遊技機枠に回転可能に支持し、前記いずれか他方の螺合軸を前記いずれか一方の螺合軸に螺合した移動部材に回転可能に支持し、前記演出表示器を、前記いずれか他方の螺合軸に螺合した移動部材に固定したことを特徴とする請求項１〜７のいずれかに記載の弾球遊技機。
【請求項９】
前記表示器位置調整ユニットは、前記演出表示器の移動範囲を規制する脱落防止部を有することを特徴とする請求項１〜８のいずれかに記載の弾球遊技機。
【発明の詳細な説明】
【技術分野】
【０００１】
本発明は、遊技機枠に取り付けられる遊技盤の後方に演出図柄等を表示可能な演出表示器を配置してなる弾球遊技機に関する。
【背景技術】
【０００２】
弾球遊技機（パチンコ機）において、遊技球が打ち込まれる円形の遊技領域を有する遊技盤の後方に、演出図柄を表示可能な液晶画面等で構成される演出表示器を配置して、演出表示器に表示される演出図柄を遊技盤に設けた開口部から視認できるようにするとともに、演出表示器を遊技機枠に設けた機構板に移動可能に取り付ける。そして、新台入替時に、演出表示器を、交換される新遊技盤のデザインに対応した位置に移動させることによって、遊技盤、制御基板のみを廃棄処分して、演出表示器の再利用を可能にしたものが提案されている（例えば、特許文献１参照）。
【特許文献１】特開平６−２６９５３８号公報
【発明の開示】
【発明が解決しようとする課題】
【０００３】
上述のような弾球遊技機においては、遊技盤の交換時、演出表示器を交換した新遊技盤のデザインに対応した位置に調整するには、演出表示器を機構板に固定しているねじを弛緩して、演出表示器を左、右のいずれかの方向に移動させた後、ねじを締結して、演出表示器を調整位置に固定するようになっている。そのため、演出表示器の位置調整が極めて面倒であり、また、その位置調整作業は、新台入替の対象となる遊技機毎に行わなければならないため、多大な時間を要するという問題点を有している。
【０００４】
本発明は、上述のような課題に鑑み、演出表示器を遊技盤のデザインに対応する位置に迅速かつ確実に移動させることができるようにした弾球遊技機を提供することを目的とする。
【課題を解決するための手段】
【０００５】
本発明によると、上記課題は、次のようにして解決される。
（１）遊技機枠に取り付けられる遊技盤の後方に、演出画像を表示可能な演出表示器を配置するとともに、前記演出画像を前記遊技盤に設けた開口部から視認可能とした弾球遊技機において、前記遊技機枠に、電気的駆動源によって、前記遊技盤の裏面に沿って移動可能な移動部材を有する表示器位置調整ユニットを取り付けるとともに、前記移動部材に前記演出表示器を固定し、前記電気的駆動源を制御するための制御部により、前記電気的駆動源を駆動制御して、前記演出表示器を予め定めた位置に移動させて停止させる。
【０００６】
（２）上記(１)項において、前記演出表示器は、前記表示器位置調整ユニットの動作に基づいて、左右、上下へ移動可能とする。
【０００７】
（３）上記(１)または(２)項において、前記表示器位置調整ユニットは、前記制御部に予め入力されて記憶された座標情報に基づいて、前記演出表示器を予め定めた位置に移動させる。
【０００８】
（４）上記(３)項において、前記表示器位置調整ユニットは、前記演出表示器の位置を検出可能な検出器を有し、前記制御部は、前記検出器が検出した前記演出表示器の位置と前記座標情報とを比較して、前記演出表示器を予め定めた位置に移動させる。
【０００９】
（５）上記(４)項において、前記検出器により検出された前記演出表示器の位置情報を表示する位置表示器を備える。
【００１０】
（６）上記(１)〜(５)項のいずれかにおいて、遊技中、前記表示器位置調整ユニットの前記電気的駆動源を駆動させて、前記演出表示器を所定の方向へ移動させる。
【００１１】
（７）上記(１)〜(６)項のいずれかにおいて、前記演出表示器が前記遊技盤における前記開口部に対してずれた位置に移動した場合、前記開口部と前記演出表示器との間の隙間を遮蔽可能な遮蔽部材を備える。
【００１２】
（８）上記(１)〜(７)項のいずれかにおいて、前記表示器位置調整ユニットは、左右方向を向く水平螺合軸と、前記水平螺合軸に螺合し、前記水平螺合軸の回転によって左右方向へ直線移動可能な水平移動部材と、上下方向を向く垂直螺合軸と、前記垂直螺合軸に螺合し、前記垂直螺合軸の回転によって上下方向に直線移動可能な垂直移動部材とを備え、前記水平螺合軸または前記垂直螺合軸のいずれか一方の螺合軸を、前記遊技機枠に回転可能に支持し、前記いずれか他方の螺合軸を前記いずれか一方の螺合軸に螺合した移動部材に回転可能に支持し、前記演出表示器を、前記いずれか他方の螺合軸に螺合した移動部材に固定する。
【００１３】
（９）上記(１)〜(８)項のいずれかにおいて、前記表示器位置調整ユニットは、前記演出表示器の移動範囲を規制する脱落防止部を有する。
【発明の効果】
【００１４】
本発明によれば、次のような効果が奏せられる。
請求項１記載の発明によると、例えば、新台入替等により遊技盤を交換する場合、演出表示器を再利用できるのは勿論のこと、演出表示器を、表示器位置調整ユニットの電気的駆動源により、新遊技盤の開口部に対応する位置に迅速かつ確実に移動させることができる。
【００１５】
請求項２記載の発明によると、遊技盤の開口部が左右、上下のいずれの方向へ変位したものに対しても、演出表示器を遊技盤の開口部に対応する位置に確実に移動させることができる。
【００１６】
請求項３記載の発明によると、制御部に予め入力された座標情報に基づいて、演出表示器を予め定めた位置に正確に移動させることができる。
【００１７】
請求項４記載の発明によると、演出表示器の位置と制御部に入力された座標情報とを比較して、演出表示器の位置調整を行うため、演出表示器をより正確に予め定めた位置に移動させることができる。
【００１８】
請求項５記載の発明によると、位置表示器に表示される位置情報に基づいて、演出表示器の位置を確認することができる。
【００１９】
請求項６記載の発明によると、遊技中、演出表示器を移動させることによって、多彩な演出効果を行うことができる。
【００２０】
請求項７記載の発明によると、演出表示器を遊技盤の開口部に対してずれた位置に移動させても、遮蔽部材により後方が遮蔽されるため、開口部から遊技機内部が見えることはない。
【００２１】
請求項８記載の発明によると、演出表示器を上下、左右に確実に移動させることができ、かつ調整した位置に確実に保持することができる。
【００２２】
請求項９記載の発明によると、演出表示器が遊技機枠から脱落するような事態を確実に防止することができる。
【発明を実施するための最良の形態】
【００２３】
以下、本発明の一実施形態を、図面に基づいて説明する。図１は、本発明の一実施形態を適用した弾球遊技機の正面図、図２は、弾球遊技機の分解斜視図、図３は、斜め後方から見た弾球遊技機の斜視図、図４は、基板ユニットカバーを外した状態の斜め後方から見た弾球遊技機の斜視図、図５は、表示器位置調整ユニットの正面図、図６は、表示器位置調整ユニットの側面図、図７は、制御回路のブロック図、図８は、他の実施例の表示器位置調整ユニットの正面図、図９は、図８に示す表示器位置調整ユニットの側面図、図１０は、異なる形態の演出表示器を装着した表示器位置調整ユニットの正面図、図１１及び図１２は、表示器位置調整ユニットの動作を説明するフローチャートである。なお、以下の説明においては、図１における図面手前を「前方」とし、図面奥側を「後方」とし、左方を「左方」とし、右方を「右方」とする。
【００２４】
図１、２に示すように、弾球遊技機１は、遊技店の遊技島に据え付けられる遊技機枠２と、遊技機枠２に嵌め込まれる遊技盤３と、中央部に円形のガラス板５１が嵌め込まれ、外枠２の左部に上下のヒンジ６により開閉可能に枢着された前扉５とを備え、前面右下部に設けられたハンドル４ａを時計方向へ回転操作することにより、前扉５の下方に設けられた球貯留皿４ｂに貯留されている遊技球が図示略の発射装置から後述の遊技領域９に打出されて、所定の遊技を行うことができる。
【００２５】
遊技盤３は、正面視ほぼ方形に形成され、その表面には、ガイドレール７、８によって包囲される円形（楕円形を含む）の遊技領域９が形成される。ハンドル４ａの操作に基いて、発射装置から発射される遊技球は、ガイドレール７、８により誘導されて遊技領域９に打出される。
【００２６】
遊技盤３における遊技領域９の中央部には、後述の演出表示器１０に表示される図柄や数字等で形成される演出図柄を視認可能とする矩形の開口部１１１を有するセンター役物１１が配置されている。なお、開口部１１１は、透明な合成樹脂板等により閉塞されている。
【００２７】
遊技領域９におけるセンター役物１１の左右両側には、遊技領域９を流下する遊技球が通過可能な普通図柄作動ゲート１２、１２及び入球可能な入賞口１３、１３が配置され、また、同じく真下には、遊技球が入球可能な図柄始動口１４が配置されている。図柄始動口１４の真下には、遊技者にとって不利な第１状態（遊技球が実質的に入賞不能な閉鎖状態）及び遊技者にとって有利な第２状態（遊技球が入賞可能な開放状態）に遷移可能な大入賞口１５が配置されている。また、遊技領域９の最下部には、遊技領域９に打出された遊技球を遊技盤３の裏面側に排出するアウト口１６が設けられている。
【００２８】
なお、遊技領域９に打出された遊技球は、遊技盤３の遊技領域９に植設された多数の遊技釘に当接しながら遊技領域９を流下するが、遊技釘は、図面簡素化のため省略してある。
【００２９】
大入賞口１５は、後述のように遊技が特定遊技状態となって第２状態に遷移すると、大入賞口１５内に設けた入賞センサ（図示略）が、遊技球が１０個入賞したことを検知するか、または開放してから３０秒が経過すると閉鎖される。また開放している最中、大入賞口１５内に設けた特定領域センサ（図示略）が遊技球の入賞を検出した場合には、閉鎖後に再度開放する。これを最大１５回まで繰返し可能に設定してある。
【００３０】
遊技機枠２には、後述の表示器位置調整ユニット２０を介して、上下、左右へ位置調整可能に演出表示器１０が取り付けられる。演出表示器１０は、液晶ディスプレイ等により構成され、通常の遊技状態においてはセンター役物１１の開口部１１１の真後ろに配置される。演出表示器１０における表面の液晶表示部には、遊技に関する数字や図柄等で構成される演出図柄が表示される。演出図柄は、演出表示器１０が開口部１１１の真後ろに位置している場合、開口部１１１を透して視認することができる。
【００３１】
なお、本実施形態において、演出表示器１０は、表示器位置調整ユニット２０により、上下、左右に位置調整可能としているが、本発明は、この方向に特定されるものでなく、遊技盤３の裏面に沿って、左右方向、または上下方向のいずれか一方の方向へ位置調整可能としても良い。
【００３２】
遊技領域９に打出された遊技球が図柄始動口１４に入賞すると、これを契機に所定の確率に基づいて、演出表示器１０に表示されている演出図柄が変動表示した後、所定時間経過後、停止して確定表示される。そして、確定表示された演出図柄の組み合わせが、予め定められた表示態様、例えば、同一の数字や図柄が揃った場合には、特定遊技状態（所謂、大当り状態）を生起させ、大入賞口１５を第１状態から第２状態に遷移させ、遊技者に所定の遊技価値を付与するようになっている。
【００３３】
主に図４、５に示すように、表示器位置調整ユニット２０は、主な部品として、枠部材２１と、水平軸廻りに回転可能な水平螺合軸２２と、水平螺合軸２２に螺合して、左右方向へ直線移動可能な水平移動部材２３と、垂直軸廻りに回転可能な垂直螺合軸２４と、垂直螺合軸２４に螺合し、上下方向へ直線移動可能な垂直移動部材２５と、水平螺合軸２２を回転させる水平移動用モータ２６と、垂直螺合軸２４を回転させる垂直移動用モータ２７と、不透明の布または合成樹脂シート等で形成される上下のブラインド２９ａ、２９ｂ及び左右のブラインド２９ｃ、２９ｄを備えている。
【００３４】
枠部材２１は、上下の横枠部２１１、２１１及び左右の縦枠部２１２、２１２からなり、遊技機枠２に複数のねじにより固定される。
【００３５】
水平螺合軸２２は、外周にねじ溝を有して、その両端部が左右の縦枠部２１２の上部に回転可能に枢支され、水平移動用モータ２６の動力によって回転することができる。
【００３６】
水平移動部材２３は、水平螺合軸２２に螺合した上側の螺合部２３１と、左右の縦枠部２１２の下部に架設された水平方向の案内軸２８に左右方向へ摺動可能に嵌合した下側の摺動部２３２とを、垂直方向の案内部２３３により一体的に接続することによって形成され、水平移動用モータ２６の動力により水平螺合軸２２が回転することにより、左右方向へ直線移動することができる。
【００３７】
垂直螺合軸２４は、上端部が水平移動部材２３の螺合部２３１に設けられた水平方向の支持片２３１ａに、また、下端部が水平移動部材２３の摺動部２３２に設けられた水平方向の支持片２３２ａに、それぞれ回転可能に枢支され、垂直移動用モータ２７の動力によって回転することができる。
【００３８】
垂直移動部材２５は、垂直螺合軸２４に螺合する螺合部２５１と、螺合部２５１の前端から上方へ直角に折曲して、水平移動部材２３の案内部２３３に対して上下方向へ摺動可能に嵌合した支持部２５２とを一体的に形成してなる。
【００３９】
なお、水平螺合軸２２と螺合部２３１、及び垂直螺合軸２４と螺合部２５１は、各螺合軸２２、２４のねじ溝と各螺合部２３１、２５１の内周に設けたねじ溝との間に、複数のボールを介在させてなる周知のボールねじによって構成される。
【００４０】
演出表示器１０は、垂直移動部材２５における支持部２５２の前面に複数のねじにより固定され、垂直移動部材２５と共に遊技盤３の裏面に沿って、左右、上下方向へ移動することができる。
【００４１】
上述のように構成される表示器位置調整ユニット２０における垂直移動部材２５に演出表示器１０を取り付けたことによって、水平移動用モータ２６により水平螺合軸２２を回転させると、水平移動部材２３が、垂直螺合軸２４、垂直移動部材２５及び垂直移動用モータ２７と共に左右方向へ移動する。これにより、演出表示器１０を、垂直移動部材２５を介して、左右方向へ移動させることができる。また、垂直移動モータ２７により垂直螺合軸２４を回転させると、垂直移動部材２５が、水平移動部材２３の案内部２３３に案内されて、上下方向へ移動する。これにより、演出表示器１０を、垂直移動部材２５を介して、上下方向へ移動させることができる。
【００４２】
演出表示器１０が移動範囲における上、下限端位置（または左、右限位置）に移動した場合には、演出表示器１０の上、下面（または左、右側面）が、枠部材２１の上、下の横枠部２１１（または左、右の縦枠部２１２）の内面に当接することによって、演出表示器１０のそれ以上の移動が規制される。これによって、枠部材２１における横枠部２１１及び縦枠部２１２は、演出表示器１０の移動範囲を規制して、演出表示器１０を支持している箇所から外れて脱落するような事態を防止するための脱落防止部を形成する。なお、脱落防止部は、枠部材２１における上、下の横枠部２１１（または左、右の縦枠部２１２）に代えて、垂直移動部材２５（または水平移動部材２３）の移動軌跡内に設け、垂直移動部材２５（または水平移動部材２３）が上、下限位置（または左、右限位置）に移動した際、垂直移動部材２５（または水平移動部材２３）に当接して、その移動を規制するようにしても良い。
【００４３】
遮蔽部材をなす上下及び左右のブラインド２９ａ、２９ｂ、２９ｃ、２９ｄは、一端部が枠部材２１に回転可能に枢支された各巻取部３０ａ、３０ｂ、３０ｃ、３０ｄにそれぞれ巻取可能に連結されるとともに、一端部が演出表示器１０の上下部及び左右部にそれぞれ連結される。これにより、演出表示器１０における外周の四方は、各ブラインド２９ａ、２９ｂ、２９ｃ、２９ｄによって、後方が見えないように遮蔽される。したがって、例えば、遊技中の遊技の演出等によって、演出表示器１０を開口部１１１に対して左右、または上下にずれた位置に移動させた場合にあっても、開口部１１１と演出表示器１０の周囲との間の隙間が各ブラインド２９ａ、２９ｂ、２９ｃ、２９ｄによって遮蔽されるため、遊技機内部が見えることはない。
【００４４】
図８、９は、他の実施例の表示器位置調整ユニット２０を示す。この実施例における遮蔽部材をなす上下、左右の各ブラインド３１ａ、３１ｂ、３１ｃ、３１ｄは、伸縮し得るように蛇腹状に形成されている。上下のブラインド３１ａ、３１ｂの横寸法は、演出表示器１０の横幅にほぼ相当し、また、左右のブラインド３１ｃ、３１ｄの上下寸法は、枠部材２１における上下の横枠部２１１、２１１間の寸法にほぼ相当する。なお、他の構成については、前記実施例と同一であるので、前記実施例と同じ作用をなす部分には、前記実施例と同一符号を付して詳細な説明は省略する。
【００４５】
他の実施例においては、前記実施例と同様に、演出表示器１０を開口部１１１からずれた位置に移動させた場合、開口部１１１と演出表示器１０の周囲との間の隙間を各ブラインド３０ａ、３０ｂ、３０ｃ、３０ｄによって遮蔽することができる。また、左右のブラインド３０ｃ、３０ｄの上下寸法を、枠部材２１における上下の横枠部２１１、２１１間の寸法にほぼ相当させたことにより、開口部１１１と演出表示器１０の周囲との間の隙間をより確実に遮蔽することができる。
【００４６】
水平移動部材２３の螺合部２３１、及び垂直移動部材２５の螺合部２５１のそれぞれの移動経路には、それぞれの移動量を検出する水平移動検出器３２、及び垂直移動検出器３３が設けられている。水平移動検出器３２及び垂直移動検出器３３は、周知のリニアエンコーダまたはＰＳＤ（Position Sensitive Detector）センサによって構成される。
【００４７】
水平移動部材２３における支持片２３２ａには、垂直移動部材２５の位置、例えば、演出表示器１０が下限位置に移動したことを検出するフォトセンサ３４ａが設けられている。また、枠部材２１における縦枠部２１１には、水平移動部材２３の位置、例えば、演出表示器１０が右限位置に移動したことを検出するフォトセンサ３４ｂが設けられている。フォトセンサ３４ａは、垂直移動部材２５、すなわち演出表示器１０が下限位置に移動した際、後述の副制御基板４２を介して、後述の位置表示器４３にリセット信号を出力する。これにより、演出表示器１０における下限位置の座標を「Ｙ＝０」とし、この位置を起点としてカウントすることによって、演出表示器１０の上下方向の位置を正確に認識することができる。また、フォトセンサ３４ｂは、水平移動部材２３、すなわち演出表示器１０が右限位置に移動した際、副制御基板４２を介して、位置表示器４３にリセット信号を出力する。これにより、演出表示器１０における右限位置の座標を「Ｘ＝０」とし、この位置を起点としてカウントすることによって、演出表示器１０の左右方向の位置を正確に認識することができる。
【００４８】
水平移動部材２３と共に移動する垂直移動用モータ２７、フォトセンサ３４ａ及び垂直移動検出器３３にそれぞれ電気的に接続される各配線コード３５ａ、３５ｂ及び３５ｃは、枠部材２１の上下部に設けられた各コード巻取装置３６ａ、３６ｂに巻取可能に巻回されている。これにより、表示器位置調整ユニット２０の動作時、水平移動部材２３が移動しても、各配線コード３５ａ、３５ｂ、３５ｃが他の箇所に絡まることはない。
【００４９】
図３に示すように、表示器位置調整ユニット２０の後側は、透明な基板ユニットカバー４０によって覆われている。基板ユニットカバー４０内には、遊技を統括的に制御する主制御基板４１と、主制御基板４１の指令に基づいて演出表示器１０に画像信号、また水平移動用モータ２６、垂直移動用モータ２７に駆動制御信号をそれぞれ出力する副制御基板４２と、垂直移動部材２５、すなわち演出表示器１０の位置情報を表示する位置表示器４３等が配設されている。位置表示器４３に表示される位置情報は、遊技盤３を交換する際、基板ユニットカバー４０を透して視認することができる。
【００５０】
主制御基板４１の指令に基づいて動作する副制御基板４２には、演出表示器１０に表示させる演出図柄の演出情報のほかに、遊技盤３における開口部１１１の位置が座標情報として予め入力されて記憶されているとともに、図７に示すように、水平移動用モータ２６、垂直移動用モータ２７、水平移動検出器３２、垂直移動検出器３３、フォトセンサ３４ａ、３４ｂ及び位置検出器４３がそれぞれの配線コードを介して電気的に接続される。
【００５１】
副制御基板４２は、水平移動検出器３２及び垂直移動検出器３３が検出した検出信号に基づいて演出表示器１０の位置を認識して、その認識した演出表示器１０の位置情報と予め記憶された座標情報とを比較して、位置情報が座標情報に一致するように、水平移動用モータ２６または垂直移動用モータ２７に駆動制御を出力する。
【００５２】
次に、図１１、１２に示すフローチャートに基づいて、表示器位置調整ユニット２０における各動作について説明する。
図１１は、新台入替時、遊技盤３を交換するときの流れを示す。先ず、ステップＳ１において、旧遊技盤３及び旧基板ユニット（主制御基板４１、副制御基板４２等）を遊技機枠２から外して、新しい遊技盤３及び基板ユニットに交換する。
【００５３】
ステップＳ２において、表示器位置調整ユニット２０の配線コードのコネクタを副制御基板４２に電気的に接続する。続いて、ステップＳ３において、遊技機本体の電源をＯＮにする。ステップＳ４において、水平移動検出器３２及び垂直移動検出器３３が検出している位置情報に基づいて、副制御基板４２が演出表示器１０の位置を認識した後、ステップＳ５において位置表示器４３に、現在の演出表示器１０の位置情報を表示する。
【００５４】
ステップＳ６においては、副制御基板４２が予め記憶している座標情報と、水平移動検出器３２及び垂直移動検出器３３に基づいて認識した位置情報とを比較し、互いの情報が一致する場合には、演出表示器１０の座標修正は必要無しと判断してステップＳ７に移行し、また、互いの情報が違う場合には、演出表示器１０の座標修正は必要と判断して、ステップＳ８に移行する。
【００５５】
ステップＳ７に移行した場合には、位置表示器４３に座標を表示して終了する。また、ステップＳ８に移行した場合には、副制御基板４２が補正信号を出力し、演出表示器１０が予め定めた所定位置、すなわち新しい遊技盤３における開口部１１１に対向する位置に調整されるように、ステップＳ９において水平移動用モータ２６及び垂直移動用モータ２７を駆動制御して、演出表示器１０を所定位置に移動させて終了する。
【００５６】
上述により、新台入替時、旧遊技盤３に対して新遊技盤３における開口部１１１の位置が変更されていたとしても、表示器調整ユニット２０を副制御基板４２に電気的に接続することによって、演出表示器１０を予め定めた所定位置に自動的に移動させて停止させることができる。
【００５７】
また、遊技盤３を交換した後、遊技店の開店時、弾球遊技機１の電源をＯＮにすることによって、その都度、上記ステップＳ３以降の動作を行って、座標修正が必要とある場合には、演出表示器１０の位置を補正する。
【００５８】
図１２は、遊技中における演出表示器１０を動作させる場合の流れを示す。先ず、遊技状態がリーチ状態（演出表示器１０に表示される３個の演出図柄のうち、既に停止した２つの演出図柄が同じで、最後に停止する演出図柄が既に停止している演出図柄と同じになれば特定遊技状態になる可能性が高い状態）になった場合、副制御基板４２が演出コマンドを出力して、演出表示器１０を予め定めた移動方向へ移動させるように、水平移動用モータ２６及び垂直移動用モータ２７に駆動制御信号を出力する。
【００５９】
ステップＳ１２において、表示器調整機構２０の動作に基づいて、演出表示器１０は予め定めた動きを開始する。この場合、演出表示器１０の動きとしては、例えば、地震を演出する場合には、演出表示器１０を上下に小刻みに動かし、また、船舶に乗船している演出を行う場合には、演出表示器１０を上下方向にゆっくりと移動させる。さらに、確率変動（特定遊技状態が終了した後、再び、特定遊技状態になる確率が高い状態）への昇格抽選時、一旦、演出表示器１０を遊技盤３における開口部１１１の領域外に移動させて、演出表示器１０を遊技者から見えない位置へ移動させた後、演出図柄を揃えてから再び元の位置に戻る等の多彩な演出を行うこと等が考えられる。
【００６０】
さらに、遊技中の演出としては、図１０に示すように、演出表示器１０に横に、７セグメント等により構成される補助表示器４４を設けることによって、遊技状態が所定の状態になると、演出表示器１０及び補助表示器４４が左方へ移動して、補助表示器４４に表示されている他の演出情報を遊技盤３における開口部１１１に出現させるようにすることも考えられる。
【００６１】
本実施形態においては、表示器位置調整ユニット２０は、ブラインド２９ａ、２９ｂ、２９ｃ、２９ｄまたは３１ａ、３１ｂ、３１ｃ、３１ｄを備えているため、上述のように、遊技中の演出時、演出表示器１０が遊技盤３における開口部１１１から外れるような動きを行っても、ブラインド２９ａ、２９ｂ、２９ｃ、２９ｄまたは３１ａ、３１ｂ、３１ｃ、３１ｄにより遊技機内部が見えることがないように遮蔽することができるため、見栄えの向上を図ることができる。
【００６２】
ステップＳ１３において、遊技中の演出が終了していない場合には、ステップＳ１２に戻って、演出が終了するまで表示器調整ユニット２０を動作させ、また、演出が終了した場合には、ステップＳ１４に移行する。
【００６３】
ステップＳ１４においては、演出表示器１０が遊技盤３における開口部１１１の真後ろに移動して停止するように、副制御基板４２が水平移動用モータ２６及び垂直移動用モータ２７に演出コマンド出力停止制御信号を出力する。
【００６４】
ステップＳ１５においては、副制御基板４２が予め記憶している座標情報と、水平移動検出器３２及び垂直移動検出器３３に基づいて認識した位置情報、すなわち演出表示器１０が停止した位置とを比較する。
【００６５】
ステップＳ１６において、水平移動検出器３２及び垂直移動検出器３３が検出している位置情報が副制御基板４２の座標情報に一致している場合には、演出表示器１０が予め定めた所定位置に停止したものとして、一連の動作を終了する。また、一致していない場合には、演出表示器１０の位置に狂いが生じ、座標修正が必要と判断して、ステップＳ１７に移行する。
【００６６】
ステップＳ１７においては、副制御基板４２が、座標修正量に応じた座標補正コマンドを出力して、水平移動用モータ２６及び垂直移動用モータ２７を駆動させ、ステップＳ１８で演出表示器１０を所定位置に修正移動させて終了する。
【００６７】
以上、本発明の実施形態について説明したが、本発明の要旨を逸脱しない範囲内で、本実施形態に次のような種々の変形や変更を施すことが可能である。
（ｉ）演出表示器１０を水平移動部材２３に固定する。この場合には、垂直螺合軸２４を枠部材２１に回転可能に枢支し、また、水平螺合軸２２を垂直移動部材２５に回転可能に枢支する。
（ii）表示器位置調整ユニット２０を他の構成にする。例えば、各螺合軸をラックとし、また、各螺合軸に螺合する螺合部をラックに噛合するピニオンとする。
【図面の簡単な説明】
【００６８】
【図１】本発明の一実施形態を適用した弾球遊技機の正面図である。
【図２】弾球遊技機の分解斜視図である。
【図３】斜め後方から見た弾球遊技機の斜視図である。
【図４】基板ユニットカバーを外した状態の斜め後方から見た弾球遊技機の斜視図である。
【図５】表示器位置調整ユニットの正面図である。
【図６】表示器位置調整ユニットの側面図である。
【図７】制御回路のブロック図である。
【図８】他の実施例の表示器位置調整ユニットの正面図である。
【図９】図８に示す表示器位置調整ユニットの側面図である。
【図１０】異なる形態の演出表示器を装着した表示器位置調整ユニットの正面図である。
【図１１】遊技盤交換時における表示器位置調整ユニットの動作を説明するフローチャート図である。
【図１２】演出時における表示器位置調整ユニットの動作を説明するフローチャート図である。
【符号の説明】
【００６９】
１  弾球遊技機
２  遊技機枠
３  遊技盤
４ａ  ハンドル
４ｂ  球貯留皿
５  前扉
６  ヒンジ
７,８  ガイドレール
９  遊技領域
１０  演出表示器
１１  センター役物
１２  普通図柄作動ゲート
１３  入賞口
１４  図柄始動口
１５  大入賞口
１６  アウト口
２０  表示器位置調整ユニット
２１  枠部材
２２  水平螺合軸
２３  水平移動部材
２４  垂直螺合軸
２５  垂直移動部材（移動部材）
２６  水平移動用モータ（電気的駆動源）
２７  垂直移動用モータ（電気的駆動源）
２８  案内軸
２９ａ、２９ｂ、２９ｃ、２９ｄ  ブラインド（遮蔽部材）
３０ａ、３０ｂ、３０ｃ、３０ｄ  巻取部
３１ａ、３１ｂ、３１ｃ、３１ｄ  ブラインド（遮蔽部材）
３２  水平移動検出器（検出器）
３３  垂直移動検出器（検出器）
３４ａ、３４ｂ  フォトセンサ
３５ａ、３５ｂ、３５ｃ  配線コード
３６ａ、３６ｂ  コード巻取装置
４０  基板ユニットカバー
４１  主制御基板
４２  副制御基板
４３  位置表示器
４４  補助表示器
５１  ガラス板
１１１  開口部
２１１  横枠部（脱落防止部）
２１２  縦枠部（脱落防止部）
２３１  螺合部
２３１ａ  支持片
２３２  摺動部
２３２ａ  支持片
２３３  案内部
２５１  螺合部
２５２  支持部
【図１】
2008079990.tif 000003
【図２】
2008079990.tif 000004
【図３】
2008079990.tif 000005
【図４】
2008079990.tif 000006
【図５】
2008079990.tif 000007
【図６】
2008079990.tif 000008
【図７】
2008079990.tif 000009
【図８】
2008079990.tif 000010
【図９】
2008079990.tif 000011
【図１０】
2008079990.tif 000012
【図１１】
2008079990.tif 000013
【図１２】
2008079990.tif 000014